(57)【特許請求の範囲】
【請求項１】
指向性を変更可能なアンテナ本体と、
選局されたチャンネルに基づく制御信号により前記アンテナ本体の指向性を変更させて、該アンテナ本体の受信状態を最適にする制御部とから構成されるスマートアンテナシステムにおいて、
前記アンテナ本体は、
第１の配線を介して前記制御部に接続され、同第１の配線を通じて受信した放送信号を前記制御部に一方向で送信し、
前記制御部から制御信号が出力された際、制御信号を受信したことを示す認識信号を、受信した放送信号に多重化させて前記第１の配線を通じて前記制御部に出力する受信確認部を有し、
前記制御部は、
前記認識信号を受信しなかった場合は、前記アンテナ本体が故障していると判断する故障判断部と、
前記故障判断部の判断結果に基づいて前記アンテナ本体が故障状態であることを知らせる故障報知部とを有することを特徴とするスマートアンテナシステム。
【請求項２】
前記故障判断部は、前記認識信号を受信しなかった場合に、前記アンテナ本体に供給される電源電圧の値を検出することを特徴とする請求項１に記載のスマートアンテナシステム。
【請求項３】
前記故障報知部は、前記故障判断部が前記認識信号を受信しなかった場合、前記アンテナ本体が故障していることを画面上に表示することを特徴とする請求項１又は請求項２のいずれかに記載のスマートアンテナシステム。
【請求項４】
ＥＩＡ／ＣＥＡ−９０９規格により指向性を変更可能なアンテナ本体と、
前記アンテナ本体の指向性が受信電波に対して最適となるよう変更させるコントロールボックスと、
選局されたチャンネルに基づく制御信号を前記コントロールボックスに出力して、前記コントロールボックスが前記アンテナ本体の指向性を変更するよう制御するとともに、前記アンテナ本体から受信したテレビジョン放送信号を表示装置が受信できるよう変換するセットトップボックスと、
変換された前記テレビジョン放送信号に基づいて、画像を表示する表示装置とを有する放送受信システムにおいて、
前記アンテナ本体は、
第１の配線を介して前記制御部に接続され、同第１の配線を通じて受信した放送信号を前記セットトップボックスに一方向で送信し、
前記コントロールボックスから制御信号が出力された際、制御信号を受信したことを示す認識信号をテレビジョン放送信号に重畳して前記第１の配線を通じて前記セットトップボックスへ出力する受信確認部を有し、
前記セットトップボックスは、
前記表示装置へ出力する映像信号に対してＯＳＤデータを重畳するＯＳＤ回路を有し、
前記認識信号を受信しなかった場合は、前記アンテナ本体に供給される電源電圧の値を検出し、検出された電源電圧の値に基づいて、前記アンテナ本体が故障しているか、前記電源電圧の供給が不良であるかのいずれかを示すＯＳＤデータを前記映像信号に重畳して出力することで、表示装置に故障表示画像を表示させることを特徴とする放送受信システム。
【発明の詳細な説明】
【技術分野】
【０００１】
本発明は、受信電波の指向性を切替えることが可能なスマートアンテナシステムにおいて、特に、アンテナ本体の故障を検出する技術に関するものである。
【背景技術】
【０００２】
指向性を切替えることで、異なる方角に位置する放送局から送信された電波を最適に受信することができるスマートアンテナシステムが知られている。スマートアンテナシステムは、指向性の異なるアンテナ素子を複数配置するアンテナ本体と、各アンテナ素子の駆動を制御してアンテナ本体における指向性を切替える制御部とを有している。スマートアンテナシステムでは、電波を送信する放送局に応じてその指向性を変更することで最適な受信状況を維持する。スマートアンテナにおける各アンテナ素子の制御方法は、ＥＩＡ／ＣＥＡ−９０９の規格（以下、９０９規格とする）によって規定されている。
【０００３】
上記したスマートアンテナシステムにおいて、アンテナ本体が故障した場合、通常のアンテナ（例えば八木アンテナ）と比べて故障を判断しづらい。例えば、アンテナ本体の故障によって、最適な受信感度を得ることができなくなったとしても、放送をあるレベルで受信することができる。そのため、ユーザはアンテナ本体が故障しているかどうかを判断しづらかった。また、９０９規格では、信号はセットからアンテナ本体へ一方行に流れるだけで、信号をアンテナ本体からセットへ送信することができない。
【０００４】
指向性の固定されたアンテナシステムにおいて、アンテナの有無を検出するために、アンテナ本体に電波を送信してアンテナの有無を判断する技術が開示されている（例えば、特許文献１参照。）。
【０００５】
また、指向性の固定されたアンテナにおいて、認識信号を用いてアンテナの故障を検出する技術が開示されている（例えば、特許文献２、３参照。）。
【０００６】
さらに、指向性の固定されたアンテナにおいて、放射パターン測定結果から故障を診断する技術が開示されている（例えば、特許文献４参照。）。
【０００７】
さらに、指向性の固定されたアンテナにおいて、反射電力によってアンテナの故障を判断する技術が開示されている（例えば、特許文献５参照）。
【特許文献１】特開２００３−３１８８４４号公報
【特許文献２】特開２００４−３３４５４８号公報
【特許文献３】特開平８−１６２８２９号公報
【特許文献４】実開平５ー２７６８３号公報
【特許文献５】特開２００６−１３６２２号公報
【発明の開示】
【発明が解決しようとする課題】
【０００８】
上述した特許文献１〜５の各発明は、指向性が固定されたアンテナに関するものであり、スマートアンテナの故障を判断し易くするものではない。
【０００９】
本発明は、上記課題に鑑みてなされたもので、指向性を変更して最適な受信状態を維持するスマートアンテナシステムにおいて、アンテナ本体の故障を検出することができるスマートアンテナシステム、及び上記スマートアンテナシステムを使用した、放送受信システムを提供する。
【課題を解決するための手段】
【００１０】
上記課題を解決するために、本発明の一側局面では、指向性を変更可能なアンテナ本体と、選局されたチャンネルに基づく制御信号により前記アンテナ本体の指向性を変更させて、該アンテナ本体の受信状態を最適にする制御部とから構成されるスマートアンテナシステムにおいて、前記アンテナ本体は、前記制御部から制御信号が出力された際、制御信号を受信したことを示す認識信号を前記制御部へ出力する受信確認部を有し、前記受信確認部が前記認識信号を受信しなかった場合は、前記アンテナ本体が故障していると判断する故障判断部と、前記故障判断部の判断結果に基づいて前記アンテナ本体が故障状態であることを知らせる故障報知部を有する。
【００１１】
上記のように構成した発明では、スマートアンテナシステムは受信電波の指向性を切替えることが可能なアンテナ本体と、制御信号を出力して前記アンテナ本体の指向性を切替える制御部とから構成される。このようなスマートアンテナシステムにおいて、アンテナ本体は、制御部から制御信号が出力された際、受信確認部が制御信号を受信したことを示す認識信号を前記制御部へ出力する。また、制御部は、故障判断部を備えており、この故障判断部が認識信号を受信しなかった場合は、故障報知部がアンテナ本体が故障していることを知らせる。
そのため、アンテナ本体の故障を判定することができる。
【００１２】
好ましくは、前記故障判断部は、前記認識信号を受信しなかった場合に、前記アンテナ本体に供給される電源電圧の値を検出する。
スマートアンテナシステムにおける故障原因として、アンテナ本体の故障の他に、アンテナ本体に供給される電源電圧の異常も想定される。そのため、上記のように構成した発明では、アンテナ本体に供給される電源電圧の値を検出し、故障がどちらの原因で発生しているかを判断することができる。
【００１３】
好ましくは、前記アンテナ本体は、前記認識信号を受信した放送信号に多重化させて前記制御部に出力する。
上記のように構成した発明では、認識信号を受信した放送信号に多重化させて送信するため、信号線の数を減らすことができる。
【００１４】
好ましくは、前記故障報知部は、前記故障判断部が前記認識信号を受信しなかった場合は、前記アンテナ本体が故障していることを画面上に表示する。
上記のように構成した発明では、故障報知部は故障を検出した場合に、故障していることを画面に表示させるため、ユーザが視覚的にスマートアンテナシステムの故障を認識することができる。
【００１５】
本発明の他の局面として、アンテナ本体の指向性を、制御部が出力する制御信号により変更することで、受信状況を最適にするスマートアンテナシステムの故障検出方法において、前記制御部から制御信号が出力された際、前記アンテナ本体から前記制御部に対して、制御信号を受信したことを示す認識信号を前記制御部へ出力し、前記認識信号を受信しなかった場合は、前記アンテナ本体が故障していると判断する。
【００１６】
また、本発明の他の局面として、ＥＩＡ／ＣＥＡ−９０９（規格により指向性を変更可能なアンテナ本体と、前記アンテナ本体の指向性が受信電波に対して最適となるよう変更させるコントロールボックスと、選局されたチャンネルに基づく制御信号を出力して、前記コントロールボックスが前記アンテナ本体の指向性を変更するよう制御するとともに、前記アンテナ本体から受信したテレビジョン放送信号を表示装置が受信できるよう変換するセットトップボックスと、変換された前記テレビジョン放送信号に基づいて、画像を表示する表示装置とを有する放送受信システムにおいて、前記アンテナ本体は、前記コントロールボックスから制御信号が出力された際、制御信号を受信したことを示す認識信号をテレビジョン放送信号に重畳して、前記セットトップボックスへ出力する受信確認部を有し、前記セットトップボックスは、前記表示装置へ出力する映像信号に対してＯＳＤデータを重畳するＯＳＤ回路を有し、前記認識信号を受信しなかった場合は、前記アンテナ本体が故障していることを示すＯＳＤデータを前記映像信号に重畳して出力することで、表示装置に故障表示画像を表示する。
【発明の効果】
【００１７】
以上説明したように本発明によれば、スマートアンテナシステムにおいて、アンテナ本体の故障を検出することができる。
また請求項２にかかる発明によれば、アンテナ本体に供給される電源電圧の値を検出して、スマートアンテナシステムにおける故障がアンテナ本体によるものか、又は供給される電源の異常によるものかを判断することができる。
そして本発明によれば、認識信号を受信した放送信号に多重化させて送信するため、信号線の数を減らすことができる。
さらに請求項３にかかる発明によれば、ユーザが視覚的にスマートアンテナシステムの故障を認識することができる。
【発明を実施するための最良の形態】
【００１８】
以下、図を用いて、下記の順序に従って本発明の実施形態を説明する。なお、同一符号は、おなじ箇所を説明し、その説明は繰返さない。
１．本発明の構成：
２．実施形態：
２．１．放送受信システムの構成：
２．２．放送受信システムの作用・効果：
３．変形例：
４．まとめ：
【００１９】
１．本発明の構成
図１は、本発明における放送受信システムを説明する図である。本発明に係る放送受信システム１０は、例えば、方角の異なる放送局から送信された放送信号を、アンテナ本体の指向性を切替えることにより最適に受信するものである。そのため、放送受信システム１０は、放送信号を受信して、受信した放送信号を出力装置２０が受信できる信号形式に変換するスマートアンテナシステム３０と、変換された放送信号を基に出力を行なう出力装置２０とから構成されている。
【００２０】
スマートアンテナシステム３０は、指向性の異なるアンテナ素子を配置したアンテナ素子郡を備えるアンテナ本体１００と、アンテナ本体１００を制御するための制御部４０とから構成されている。スマートアンテナシステム３０では、ユーザによって特定のチャンネルが選局されると、制御部４０はアンテナ本体１００に対して放送信号を最適な状態で受信できるよう、その指向性の方向を変更させる制御信号を出力する。アンテナ本体１００は受信した制御信号に基づいて指向性を変更し、放送信号を最適に受信する。
【００２１】
本発明に係るアンテナ本体１００は、制御信号を受信したことを認識信号の返信により知らせる受信確認部を有している。また、制御部４０には、認識信号を受信するための故障判断部を有している。アンテナ本体１００が故障した場合は、受信確認部は認識信号を制御部４０に送信できない。そのため、故障判断部は認識信号を受信しないことによりアンテナ本体１００が故障していると判断する。
【００２２】
２．実施形態：
２．１．放送受信システムの構成：
図２は、放送受信システムの一例としての実施形態を示すブロック図である。本放送受信システム１０では、アンテナ本体１００と、コントロールボックス２００と、セットトップボックス３００と、表示装置２１と、リモコン装置５０とから構成されている。なお、アンテナ本体１００は、テレビジョン放送信号（以下、放送信号）を受信するためのものである。また、制御部４０は、コントロールボックス（以下、ＣＴＢ）２００と、セットトップボックス（以下、ＳＴＢ）３００とで実現される。また、出力装置２０は、映像及び音声を出力するための表示装置２１にて実現される。
【００２３】
ＣＴＢ２００とＳＴＢ３００とは、配線１０１，１０２を用いて接続している。また、アンテナ本体１００とＣＴＢ２００とは配線１０３を用いて接続している。ここで、配線１０１は、特定の方式によってＣＴＢ２００とＳＴＢ３００との間で制御信号のやり取り、及び電源を供給する電源回路３１４からＣＴＢ２００へ電源電圧を供給するものである。また、配線１０２は、アンテナ本体１００が受信した放送信号をＳＴＢ３００へ送信するためのものである。さらに、配線１０３は、ＣＴＢ２００からアンテナ本体１００へ信号を送信するためのものである。
【００２４】
放送受信システム１０では、まず、リモコン装置５０等を用いたユーザの選局指示をＳＴＢ３００が受信すると、ＳＴＢ３００は配線１０１から制御信号をコントロールボックスに送信する。ＣＴＢ２００は、受信した制御信号に基づいて第二の制御信号をアンテナ本体１００に送信する。この第二の制御信号は、アンテナ本体１００における受信状態が最適になるようその指向性を変更させるための信号である。アンテナ本体１００は、第二の制御信号に基づいてテレビジョン放送を受信し、受信した電波を電流に変換する。コントロールボックス２００は、受信した放送信号に基づく電流を配線１０２からＳＴＢ３００のチューナ（後述）に出力する。上記した一連の動作により、放送信号は、ＳＴＢ３００に出力される。
【００２５】
ＳＴＢ３００は、受信した放送信号に基づいて映像信号と音声信号とを生成し、生成した映像信号及び音声信号を表示装置２１に出力する。表示装置２１は、受信した映像信号と音声信号とをディジタル／アナログ変換し、映像又は音声として出力する。上記した一連の動作により、放送受信システム１０は放送信号から映像と音声とを出力する。
【００２６】
また、本実施の形態における放送受信システム１０では、アンテナ本体１００は第二の制御信号を受信すると認識信号をＳＴＢ３００に返信する。また、ＳＴＢ３００には認識信号の返信の有無に応じて、故障表示画面の表示の有無を切替える機能を有している。そのため、故障表示画面が表示されると、ユーザは画面上で確認することで、視覚的にアンテナ本体１００の故障を判断することができる。
【００２７】
アンテナ本体１００は、指向性の定まったアンテナ素子１１０〜１４０と、このアンテナ素子１１０〜１４０の駆動を制御するコントローラ１５０とを有している。本実施の形態におけるアンテナ本体１００は、４本のアンテナ素子１１０〜１４０を放射状に配列しており、コントローラ１５０は、アンテナ素子１１０〜１４０が検出する電界強度を変更することにより、アンテナ本体１００における指向性が高くなる方位を１６通りに変更させることができる。ここで、コントローラ１５０は、アンテナ本体１００の駆動を制御するためのものであり、この発明におけるアンテナ本体１００の故障とは、コントローラ１５０の故障に起因する。アンテナ本体１００の不良を意味する。
【００２８】
また、コントローラ１５０は、ＣＴＢ２００から送信された第二の制御信号を受信した場合は、認識信号を配線１０２を用いてＳＴＢ３００に送信することで、アンテナ本体１００の故障の有無を知らせる受信確認部の機能を有する。ここで、配線１０２はＣＴＢ２００へ放送信号を送信するために使用されるものであり、本発明では、放送信号に認識信号を多重化させることでＣＴＢ２００に認識信号を送信する。
【００２９】
ＣＴＢ２００は、ＳＴＢ３００によりチャンネルごとに設定された指向性の方位に基づいて、アンテナ本体１００のコントローラ１５０に第二の制御信号を送信する。ＣＴＢ２００は、９０９インタフェース２１０と、制御部２２０とを備えている。
【００３０】
９０９インタフェース２１０は、例えば、ＳＴＢ３００の９０９インタフェース３０１(後述)と配線１０１を用いて接続しており、ＳＴＢの９０９インタフェース３０１と所定の通信方式（例えば、ＥＩＡ／ＣＥＡ−９０９等）に基づいた通信を行っている。このため、９０９インタフェース２１０は、ＳＴＢ３００からアンテナ本体１００を制御するための制御信号を受信して、この制御信号に基づく信号をＣＴＢ２００の制御部２２０に送信する。なお、ＥＩＡ／ＣＥＡ−９０９規格では、ＳＴＢ３００からＣＴＢ２００への信号の送信のみ実行される。そのため、アンテナ本体１００及びＣＴＢ２００からの信号を配線１０１を用いてＳＴＢ３００へ返信することはできない。
【００３１】
制御部２２０は、ＣＰＵ（Central Processing Unit）２２１と、ＲＯＭ(Read Only Memory)２２２と、ＲＡＭ（Random Access Memory）２２３とを備えている。ＣＰＵ２２１は、ＲＯＭ２２２に記憶された各種処理プログラムに従って各種の制御動作を行なう。ＲＯＭ２２２には、ＣＴＢ２００で実行可能なシステムプログラム、当該システムプログラムで実行可能な各種処理プログラム、これら各種処理プログラムを実行する際に使用されるデータ、ＣＰＵ２２１によって演算処理された処理結果のデータなどを記憶する。なお、プログラムはコンピュータが読み取り可能なプログラムコードの形でＲＯＭ２２２に記憶されている。具体的には、ＲＯＭ２２２には、取得プログラム２２４が記憶されている。
【００３２】
取得プログラム２２４は、例えば、ＳＴＢ３００の９０９インタフェース３０１(後述)から送信された制御信号を取得する機能を、ＣＰＵ２２１に実現させるものである。ここで、制御信号とは、例えば、ユーザによって選局されたチャンネル(仮想チャンネル)に応じた情報であり、例えば、物理チャンネル番号とアンテナ本体の指向性の方向に関する方向情報と、アンテナのゲインに関するゲイン情報とを含む情報である。これら情報を使用して、ＣＰＵ２２１はアンテナ本体１００のコントローラ１５０を制御して、アンテナ本体１００の指向性の方位を変更させる。
【００３３】
ＳＴＢ３００は、ユーザからの指示に基づいてアンテナ本体１００の指向性を最適方向に切替える。また、ＳＴＢ３００は、受信した放送信号を表示装置２１が受信することができる信号形態に変換する。ＳＴＢ３００は、９０９インタフェース３０１と、チューナ３０２と、フロントエンド３０３と、デコーダ３０４と、バッファメモリ３０５と、ＯＳＤ回路３０６と、リモコン受信部３０７と、信号分離部３０８と、電圧検出部３０９と、制御部３１０とから構成されている。なお、各部は外部バス３２０により接続されており、この外部バス３２０を用いて通信を行なう。
【００３４】
９０９インタフェース３０１は、ＣＴＢ２００の９０９インタフェース２１０と配線１０１により接続しており、制御部３１０から入力される制御信号に従って、ＣＴＢ２００の９０９インタフェース２１０と所定の通信方式に基づいた通信を行う。また、配線１０１を用いて、ＣＴＢ２００にアンテナ本体１００を制御するための制御信号や、ＣＴＢ２００が駆動するための電源電圧を供給する。
【００３５】
チューナ３０２は、受信した放送信号から選局されたチャンネル（例えば仮想チャンネル）を検波する。チューナ３０２は、配線１０２を用いてＣＴＢ２００と接続しており、この配線１０２は、アンテナ本体１００とも繋がっている。チューナ３０２は制御部３１０からの命令に従って、アンテナ本体１００から送信された放送信号の中から一のチャンネル(ユーザによって選局されたチャンネル)に対応する放送信号を検波してフロントエンド３０３に出力する。
【００３６】
フロントエンド３０３は、制御部３１０から入力される命令に従って、チューナ３０２から送信された放送信号を中間周波信号に変換して、デコーダ３０４に出力する。
【００３７】
デコーダ３０４は制御部３１０からの命令に従って、フロントエンド３０３から出力された放送信号に対して所定のファイル形式(例えば、ＭＰＥＧ−２（Motion Picture Experts Group-2）に応じた処理を施し、当該放送信号を音声信号と映像信号とに分離してデコードする。そして、デコードした映像信号をバッファメモリ３０５に出力する。なお、音声信号はそのまま表示装置２１に出力される。
【００３８】
バッファメモリ３０５は、デコーダ３０４によりデコードされた映像信号を一時的に記憶するものである。また、このバッファメモリ３０５から記憶された映像信号は順次、表示装置２１に出力される。
【００３９】
ＯＳＤ回路３０６は、例えば、制御部３１０からの命令に従って、バッファメモリ３０５に記憶された映像信号に対して所定のＯＳＤ(On Screen Display）画像を重畳する。
【００４０】
リモコン受信部３０７は、リモコン装置５０から送信された各種制御コマンドを受信し、当該コマンドに基づく制御信号を制御部３１０に送信する。
【００４１】
信号分離部３０８は、配線１０２を用いて送信された信号（放送信号と認識信号が多重化された信号）から認識信号だけを分離して、外部バス３２０を通じてＣＰＵ３１１に認識信号を出力するものである。
【００４２】
電圧検出部３０９は、ＳＴＢ３００からＣＴＢ２００へ供給される電源電圧の値を測定するためのものである。具体的には、電圧検出部３０９は、配線１０１における電源電圧を供給する配線の電圧値を測定するものである。
【００４３】
制御部３１０は、ＣＰＵ３１１と、ＲＯＭ３１２と、ＲＡＭ３１３とから構成されている。ＣＰＵ３１１は、ＲＯＭ３１２に記憶された各種処理プログラムに従って、各種の制御動作を行う。ＲＯＭ３１２は、ＣＰＵ３１１によって実行される処理プログラムなどを展開するためのプログラム格納領域や、入カデータや上記処理プログラムが実行されるごとに生じる処理結果などを格納するデータ格納領城などを備える。
【００４４】
ＲＯＭ３１２は、ＳＴＢ３００で実行可能なシステムプログラム、当該システムプログラムで実行可能な各種処理プログラム、これら各種処理プログラムを実行する際に使用されるデータ、ＣＰＵ３１１によって演算処理された各種結果のデータなどを記憶している。なお、プログラムはコンピュータが読み取り可能なプログラムコードの形でＲＯＭ３１２に記憶されている。具体的には、ＲＯＭ３１２は、送信プログラム４００、故障判断プログラム５００、映像信号処理プログラム６００、チャンネルマップ７００等を記憶している。
【００４５】
図３は、ＣＰＵ３１１により実行される選局処理を説明するフローチャートである。ＣＰＵ３１１は、ユーザからの選局操作を受け付けると、送信プログラム４００を起動して、選局されたチャンネルを最適に受信できるよう制御信号をＣＴＢ２００に送信する（ステップＳ４００）。次に、ＣＰＵ３１１は、故障判断プログラム５００により、アンテナ本体１００から送信される放送信号に重畳された認識信号の有無を判断し、判断結果に基づいて、故障表示画像の表示／非表示を判断する。最後に、ＣＰＵ３１１は、映像信号処理プログラム６００により、受信した放送信号を表示装置２１が受信することができる信号形式に変換する。そのため、ＣＰＵ３１１と故障判断プログラム５００とが、故障判断部と故障報知部の機能を実現する。
【００４６】
チャンネルマップ７００は、選局の際参照されるデータであり、例えばチャンネル情報等を記憶している。具体的には、チャンネルマップ７００は、リモコン装置５０のチャンネルキーやチャンネルアップ/ダウンキーに割り当てられた仮想チャンネル番号と、物理チャンネル番号と、アンテナの指向性の方向に関する方向情報と、アンテナのゲインに関するゲイン情報とを対応付けて記憶している。チャンネルマップ７００に記憶される情報は、例えば、放送受信システム１０の初期設定処理において決定されて、チャンネルマップ７００に記憶されるようになっている。
【００４７】
送信プログラム４００は、例えば、９０９インタフェース３０１を介して、ＣＰＵ３１１にチャンネル情報をＣＴＢ２００に送信する機能を実現させるものである。ＣＰＵ３１１は、例えば、ユーザによるリモコン装置５０のチャンネルキーやチャンネルアップ/ダウンキーの操作等によって一つのチャンネルが選局されると（ステップＳ４１０）、当該一つのチャンネルのチャンネル番号(仮想チャンネル番号)に対応するチャンネル情報（物理チャンネル番号、方向情報、ゲイン情報など）を、チャンネルマップ７００から参照する（Ｓ４２０）。その後、ＣＰＵ３１１は、参照したチャンネルマップ７００の各値に応じた制御信号を９０９インタフェース３０１を通じてＣＴＢ２００の制御部２２０に送信する（ステップＳ４３０）。
【００４８】
故障判断プログラム５００は、アンテナ本体１００からの認識信号の有無に基づいて、ＣＰＵ３１１に故障表示画像を出力させる有無を判断させる機能を実現させるものである。ＣＰＵ３１１は、故障判断プログラム５００によって、認識信号がアンテナ本体１００から返信されない場合は、ＯＳＤ回路３０６に対して、バッファメモリ３０５に記憶された映像信号に、故障表示画像としてのＯＳＤデータを重畳するよう命令する。そのため、アンテナ本体１００から認識信号がＳＴＢ３００に返信されない場合は、表示装置２１の画面上には故障表示画像が表示される。
【００４９】
図４は、故障判断プログラム５００によりＣＰＵ３１１が実行するフローチャートである。まず、ＣＰＵ３１１は、信号分離部３０８によって、放送信号から分離された認識信号の有無を検出する（ステップＳ５１０）。このとき、認識信号が返信されている場合は、ＣＰＵ３１１は、アンテナ本体１００が故障していないと判断し（ステップＳ５２０）、故障判断プログラム５００を終了させる。
【００５０】
また、アンテナ本体１００から認識信号が返信されない場合は、ＣＰＵ３１１はコントロールボックス２００へ供給する電源電圧の値を電圧検出部３０９に測定させる（ステップＳ５３０）。ステップＳ５４０で、電源電圧の値が異常である場合は（ステップＳ５４０）、ＣＰＵ３１１はＯＳＤ回路３０６に対して、ＣＴＢ２００に供給する電源電圧が異常であることを示すＯＳＤデータ（図５（ｂ）に示す）を映像信号に重畳するよう命令する（ステップＳ５６０）。逆に、ステップＳ５４０で、電源電圧の値が正常である場合は、ＣＰＵ３１１はＯＳＤ回路３０６に対して、アンテナ本体１００が故障していることを示すＯＳＤデータ（図５（ａ）に示す）を映像信号に重畳するよう命令する（ステップＳ５５０）。なお、図５は、画面上に表示された故障表示画面の一例を示す図である。これら一連の動作により、ＣＰＵ３１１は、アンテナ本体１００の故障を検出する。
【００５１】
映像信号処理プログラム６００は、バッファメモリ３０５に記憶された映像信号に対して所定の信号処理を施す。具体的には、映像信号に対して、コントラスト調整や、ホワイトバランス調整、更には、シャープネス調整等を実行する。その後、各信号処理を施された映像信号は、表示装置２１に出力され、映像として出力される。これら一連の動作により、表示装置２１には選局されたチャンネルに対応した映像が表示される。また、スマートアンテナシステム３０が故障している場合は、故障表示画面が表示される。
【００５２】
２．２．放送受信システムの作用・効果：
本発明の作用・および効果を図５を用いて説明を行なう。
ユーザがリモコン装置５０を操作して選局を行なうと、当然、表示装置２１の画面には選局されたチャンネルに対応した映像が表示される。このとき、アンテナ本体１００のコントローラ１５０が故障していれば、画面には、図５（ａ）又は図５（ｂ）の故障表示画面が表示される。図５（ａ）の故障表示画面が表示された場合は、アンテナ本体１００の故障をユーザに報知する。同様に、図５（ｂ）の故障表示画面が表示された場合は、ＳＴＢ３００の故障をユーザに報知する。ユーザはこの故障表示画面を確認して、故障箇所に応じた対応を取ることができる。具体的には、故障箇所をサービスセンター等に説明すれば、サービスセンター側で故障の対策を早急に実施することができる。
【００５３】
３．変形例：
本発明では、様々な変形例が存在する。
本実施例では、アンテナ本体１００とＣＴＢ２００とは、別体として表示されているが、アンテナ本体にＣＴＢ２００を収容する構成であってもよい。また、ＳＴＢ３００にＣＴＢ２００が収容される構成であってもよい。
また、ＳＴＢ３００表示装置２１内に実装されいてもよい。
【００５４】
故障報知部は、映像によって故障状態を知らせるものに限定されず、例えば出力装置に配置された表示灯の点灯により故障を知らせるものであってもよい。
【００５５】
４．まとめ：
指向性を変更可能なアンテナ本体と、選局されたチャンネルに基づく制御信号によりアンテナ本体の指向性を変更させて、該アンテナ本体の受信状態を最適にする制御部とから構成されるスマートアンテナシステムにおいて、アンテナ本体は、制御部から制御信号が出力された際、制御信号を受信したことを示す認識信号を前記制御部へ出力する受信確認部を有し、受信確認部が認識信号を受信しなかった場合は、アンテナ本体が故障していると判断する故障判断部と、故障判断部の判断結果に基づいてアンテナ本体が故障状態であることを知らせる故障報知部を有する。
【００５６】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００５７】
【図１】本発明における放送受信システムを説明する図である。
【図２】放送受信システムの一例としての実施形態を示すブロック図である。
【図３】ＣＰＵ３１１により実行される選局処理を説明するフローチャートである。
【図４】故障判断プログラム５００によりＣＰＵ３１１が実行するフローチャートである。
【図５】画面上に表示された故障表示画面の一例を示す図である。
【符号の説明】
【００５８】
１０…放送受信システム、２０…出力装置、２１…表示装置、３０…スマートアンテナシステム、４０…制御部、５０…リモコン装置、１００…アンテナ本体、１０１，１０２，１０３…配線、１１０〜１４０…アンテナ素子、１５０…コントローラ、２００…コントロールボックス（ＣＴＢ）、２１０…９０９インタフェース、２２０…制御部、２２１…ＣＰＵ、２２２…ＲＯＭ、２２３…ＲＡＭ、２２４…取得プログラム、３００…セットトップボックス（ＳＴＢ）、３０１…９０９インタフェース、３０２…チューナ、３０３…フロントエンド、３０４…デコーダ、３０５…バッファメモリ、３０６…ＯＳＤ回路、３０７…リモコン受信部、３０８…信号分離部、３０９…電圧検出部、３１０…制御部、３１１…ＣＰＵ、３１２…ＲＯＭ、３１３…ＲＡＭ、３１４…電源回路、３２０…外部バス、４００…送信プログラム、５００…故障判断プログラム、６００…映像信号処理プログラム、７００…チャンネルマップ
【図１】
0004390086.tif 000002
【図２】
0004390086.tif 000003
【図３】
0004390086.tif 000004
【図４】
0004390086.tif 000005
【図５】
0004390086.tif 000006